(57)【要約】【課題】スリンガの分離を防止できる密封装置を提供する。【解決手段】シール環体４の第二部分１４ｂの内周縁部から、第一円筒部摺接リップ９ａ，９ｂが突出形成される。また、第一円筒部２ａのアキシャル方向第二端部には、ラジアル方向外側に突出した分離防止突部５が形成されている。分離防止突部５と第一円筒部摺接リップ９ａ，９ｂが係合することにより、第一スリンガ２と第二スリンガ３との分離が防止される。【選択図】図２
2007298076.tif 000002
【特許請求の範囲】
【請求項１】
外輪部材と、該外輪部材と同心に配置された内輪部材と、前記外輪部材と前記内輪部材との間に介装される転動体とを有し、軸線周りに前記外輪部材と前記内輪部材が相対的に回転可能とされた転がり軸受の、前記外輪部材と前記内輪部材とによって形成される転動体配置空間を密封するためのリング状密封装置であって、
第一円筒部と、該第一円筒部のアキシャル方向第一端部からラジアル方向外側に向かって延びる第一フランジ部と、前記第一円筒部のアキシャル方向第二端部からラジアル方向外側に向かって突出する突部とから形成される第一スリンガと、
前記第一円筒部よりも大きな半径を有し、該第一円筒部のラジアル方向外側に位置する第二円筒部と、該第二円筒部のアキシャル方向第二端部からラジアル方向内側に向かって延びる第二フランジ部とから形成される第二スリンガと、
前記第二スリンガの前記第二円筒部の内周面に固定された第一部分と、前記第二フランジ部の内面に固定された第二部分とからなるシールベース部と、該第二部分の内周縁部から前記第一スリンガの前記第一円筒部に向けて突出し、該第一円筒部の外周面に摺接する第一円筒部摺接リップとを有するシール環体と、
を備え、前記突部は、前記第一円筒部摺接リップと係合することにより、前記第一スリンガと前記第二スリンガとのアキシャル方向の分離を防止する分離防止突部とされていることを特徴とする転がり軸受のリング状密封装置。
【請求項２】
前記第一円筒部の外周面と前記分離防止突部の外周面のなす角度は鈍角とされている請求項１記載の転がり軸受のリング状密封装置。
【請求項３】
前記シールベース部の前記第二部分の内周縁部から前記第二フランジ部のアキシャル方向第二主表面側へ回り込む回込部が形成され、
前記分離防止突部の外周縁部は、前記回込部の内周縁部よりもラジアル方向内側に位置している請求項１または２記載の転がり軸受のリング状密封装置。
【請求項４】
請求項１ないし３のいずれか１項に記載のリング状密封装置を製造する方法であって、
前記分離防止突部と同一か又は大きな半径を有する円筒状の外周面を有した治具に対し、前記第二スリンガと前記シール環体とが組み立てられた組立体を、前記シール環体が前記治具の端面側を向くように前記第一円筒部摺接リップを弾性的に拡径しつつ該治具の前記外周面上に取り付ける第一工程と、
前記組立体が取り付けられた前記治具に対して前記第一スリンガを、前記分離防止突部が形成された側が前記治具の前記端面側を向くように該端面に対し同心的に位置決めする第二工程と、
前記第一スリンガに接近させる方向に前記組立体を前記治具の外周面上にて摺動させ、前記シール環体を前記分離防止突部を通過させつつ前記治具より離脱させ、該シール環体を弾性復帰させることにより前記第一円筒部の外周面上に縮径保持させる第三工程と、
をこの順で実施することを特徴とする転がり軸受のリング状密封装置製造方法。
【請求項５】
前記治具には、前記端面の外周縁部に、前記第一スリンガの前記分離防止突部に向かって縮径するテーパ面またはアール面が形成されている請求項２記載の転がり軸受のリング状密封装置製造方法。
【請求項６】
前記治具に複数個の前記組立体を積層して保持し、該複数個の組立体を押すことにより前記第一スリンガに最も近い前記組立体を押し出し、該組立体を前記第一スリンガに組付けることを特徴とする請求項４または５に記載の転がり軸受のリング状密封装置製造方法。
【発明の詳細な説明】
【技術分野】
【０００１】
本発明は転がり軸受のリング状密封装置およびその製造方法に関するものである。
【背景技術】
【０００２】
軸受装置は一般に、軌動輪（内輪・外輪）、転動体および保持器を基本構成とし、更に密封装置等の他の部材など複数の構成部材の組立体として構成されている。
【０００３】
密封装置として例えば、２個のスリンガと１個のシール環体からなり、一方のスリンガにシール環体が固定され、他方のスリンガ内面に摺接するものがある。例えば下記特許文献１には、この種の密封装置について開示がされている。
【特許文献１】特開２００２−２２７８５７号公報
【発明の開示】
【発明が解決しようとする課題】
【０００４】
密封装置は、上述のように構成された後、軸受装置の外輪・内輪間に嵌入される。これにより転動体が密封され、外部からの水の侵入を防止することが可能となる。又、密封装置は、グリース等を封止する役割も果たす。
【０００５】
しかし従来の密封装置は、シール環体の弾性力によって２個のスリンガを一体化しているため、密封装置の搬送中や軸受装置の製造工程中にバラけやすいという問題があった。そのため、スリンガの分離を防止できる密封装置が望まれていた。
【０００６】
本発明は上述のような事情を背景になされたもので、特に、スリンガの分離を防止できる密封装置を提供することを課題とする。
【課題を解決するための手段および発明の効果】
【０００７】
本発明の転がり軸受のリング状密封装置は、
外輪部材と、該外輪部材と同心に配置された内輪部材と、前記外輪部材と前記内輪部材との間に介装される転動体とを有し、軸線周りに前記外輪部材と前記内輪部材が相対的に回転可能とされた転がり軸受の、前記外輪部材と前記内輪部材とによって形成される転動体配置空間を密封するためのリング状密封装置であって、
第一円筒部と、該第一円筒部のアキシャル方向第一端部からラジアル方向外側に向かって延びる第一フランジ部と、前記第一円筒部のアキシャル方向第二端部からラジアル方向外側に向かって突出する突部とから形成される第一スリンガと、
前記第一円筒部よりも大きな半径を有し、該第一円筒部のラジアル方向外側に位置する第二円筒部と、該第二円筒部のアキシャル方向第二端部からラジアル方向内側に向かって延びる第二フランジ部とから形成される第二スリンガと、
前記第二スリンガの前記第二円筒部の内周面に固定された第一部分と、前記第二フランジ部の内面に固定された第二部分とからなるシールベース部と、該第二部分の内周縁部から前記第一スリンガの前記第一円筒部に向けて突出し、該第一円筒部の外周面に摺接する第一円筒部摺接リップとを有するシール環体と、
を備え、前記突部は、前記第一円筒部摺接リップと係合することにより、前記第一スリンガと前記第二スリンガとのアキシャル方向の分離を防止する分離防止突部とされていることを特徴とする。
【０００８】
上記発明によると、第一スリンガのアキシャル方向第二端部に分離防止突部が形成されている。そしてシール環体の第二部分から第一円筒部に向けて突出するように、第一円筒部摺接リップが形成されている。この第一円筒部摺接リップは、転がり軸受に組みつけられた際に、グリースの封止をするものである。転がり軸受の製造工程中で、第一スリンガと第二スリンガを引き離す力が作用すると、この分離防止突部と第一円筒部摺接リップとが係合するため、第一スリンガと第二スリンガの分離が防止される。そのため、転がり軸受の製造工程をスムーズに進めることができる。
【０００９】
また、本発明の転がり軸受のリング状密封装置は、
前記第一円筒部の外周面と前記分離防止突部の外周面のなす角度は鈍角とされていることを特徴とする。
【００１０】
リング状密封装置を組み立てる際には、シール環体を弾性的に拡径して第一円筒部に接近させ、分離防止突部を乗り越えさせる必要がある。上記発明によると、第一円筒部の外周面と分離防止部の外周面のなす角度は鈍角とされているため、リング状密封装置を製造する際に、シール環体が分離防止部を乗り越えやすくなる。そのため、製造工程を円滑に進めることが可能となる。
【００１１】
さらに本発明の転がり軸受のリング状密封装置は、
前記シールベース部の前記第二部分の内周縁部から前記第二フランジ部のアキシャル方向第二主表面側へ回り込む回込部が形成され、
前記分離防止突部の外周縁部は、前記回込部の内周縁部よりもラジアル方向内側に位置していることを特徴とする。
【００１２】
上記発明によると、シールベース部に回込部が形成されているため、第二スリンガとシール環体をしっかりと固定できる。また、分離防止突部の外周縁部は、回込部の内周縁部よりもラジアル方向内側に位置している。このようにすると、リング状環体の組立て工程において、分離防止突部と回込部が当接することがなくなる。つまり、第一円筒部摺接リップが弾性変形するだけで分離防止突部を乗り越えることが可能となる。そのため、リング環体を組み立てやすくなる。
【００１３】
一方、本発明の転がり軸受のリング状密封装置製造方法は、
前記分離防止突部と同一か又は大きな半径を有する円筒状の外周面を有した治具に対し、前記第二スリンガと前記シール環体とが組み立てられた組立体を、前記シール環体が前記治具の端面側を向くように前記第一円筒部摺接リップを弾性的に拡径しつつ該治具の前記外周面上に取り付ける第一工程と、
前記組立体が取り付けられた前記治具に対して前記第一スリンガを、前記分離防止突部が形成された側が前記治具の前記端面側を向くように該端面に対し同心的に位置決めする第二工程と、
前記第一スリンガに接近させる方向に前記組立体を前記治具の外周面上にて摺動させ、前記シール環体を前記分離防止突部を通過させつつ前記治具より離脱させ、該シール環体を弾性復帰させることにより前記第一円筒部の外周面上に縮径保持させる第三工程と、
をこの順で実施することを特徴とする。
【００１４】
上記発明によると、分離防止突部と同じか又は大きな半径を有する、円筒状の外周面を有する治具を用意する。そして、その治具の外周面に組立体を、前記第一円筒部摺接リップを弾性的に拡径しつつ取り付ける。次に第一スリンガを、治具と同心になる位置に位置決めする。その後、組立体を、第一スリンガに接近させる方向に治具外周面上を摺動させる。そして第一スリンガの分離防止突部を通過させ、治具から離脱させる。このようにすると、リング状密封装置の製造を簡単に行うことが可能となる。
【００１５】
また、本発明の転がり軸受のリング状密封装置製造方法は、
前記治具には、前記端面の外周縁部に、前記第一スリンガの前記分離防止突部に向かって縮径するテーパ面またはアール面が形成されていることを特徴とする。
【００１６】
上記発明によると、治具の端面の外周縁部にテーパ面またはアール面が形成されているため、前記シール環体が前記分離防止突部を通過しやすくなる。そのため、リング状密封装置の製造をスムーズに行うことができる。
【００１７】
さらに、本発明の転がり軸受のリング状密封装置製造方法は、
前記治具に複数個の前記組立体を積層して保持し、該複数個の組立体を押すことにより前記第一スリンガに最も近い前記組立体を押し出し、該組立体を前記第一スリンガに組付けることを特徴とする。
【００１８】
上記発明によると、治具に複数個の組立体を積層して保持している。そのため、第一スリンガと組立体の組付け作業を連続して行うことが可能となり、製造効率が上がる。
【発明を実施するための最良の形態】
【００１９】
次に本発明の実施形態を、図面を参照しながら以下に説明する。
図１は、転がり軸受１３の断面図である。このように転がり軸受１３は、外輪部材７と、内輪部材６と、これら外輪部材７と内輪部材６との間に介装される転動体８を備え、内輪部材６と外輪部材７とが軸心周りに相対的に回転可能とされている。また、内輪部材６と外輪部材７との間に形成される転動体配置空間Ｓを密封するためのリング状密封装置１が取り付けられている。
【００２０】
図２に、リング状密封装置１の拡大図を示す。第一スリンガ２は、内輪部材６の外周面に固定された第一円筒部２ａと、その第一円筒部２ａのアキシャル方向第一端部からラジアル方向外側に向かって延びる第一フランジ部２ｂとから形成される。また第二スリンガ３は、第一円筒部２ａよりも大きな半径を有し、該第一円筒部２ａのラジアル方向外側に位置し、外輪部材７の内周面に固定された第二円筒部３ａと、その第二円筒部３ａのアキシャル方向第二端部からラジアル方向内側に向かって延びる第二フランジ部３ｂとから形成される。
【００２１】
さらにシール環体４は、第二円筒部３ａから第二フランジ部３ｂにわたる内面に固定されたシールベース部１４と、そのシールベース部１４から第一スリンガ２に向かって突出するリップ部９とを備える。より詳しくは、シールベース部１４は、第二円筒部３ａの内周面に固定された第一部分１４ａと、第二フランジ部３ｂの内面に固定された第二部分１４ｂからなる。そして、この第二部分１４ｂの内周縁部から第一円筒部摺接リップ９ａ，９ｂおよび第一フランジ部摺接リップ９ｃが突出している。第一フランジ部摺接リップ９ｃは、外部からの水の侵入を防止するものである。また、第一円筒部摺接リップ９ａは、転動体配置空間Ｓ内のグリースを保持するものである。
【００２２】
さらに、シールベース部１４の第二部分１４ｂの内周縁部から、第二フランジ部３ｂのアキシャル方向第二主表面側へ回りこむ回込部２８が形成されている。この回込部２８があるため、シール環体４がめくれ上がることを防止でき、第二スリンガ３にしっかりと固定できる。
【００２３】
一方、第一円筒部２ａのアキシャル方向第二端部には、ラジアル方向外側に向かって突出する分離防止突部５が形成されている。この分離防止突部５は、転がり軸受１３にリング状密封装置１を組付ける工程の途中や、リング状密封装置１の搬送時に、第一スリンガ２と第二スリンガ３が分離することを防止するためのものである。第一スリンガ２と第二スリンガ３をアキシャル方向に分離する力が作用すると、分離防止突部５と第一円筒部摺接リップ９ａが係合するため、分離が防止される。そのため、転がり軸受１３の製造工程中や、リング状密封装置１の搬送時にリング状密封装置１がバラけにくくなり、製造工程や搬送をスムーズに進めることが可能となる。
【００２４】
従来のリング状密封装置１は、分離防止突部５が形成されておらず、シール環体４の弾性力を使って第一スリンガ２を締め付け、第二スリンガ３を一体化していた。そのため転がり軸受１３に組立てる工程の最中や、リング状密封装置１の搬送時に何らかの力が作用し、リング状密封装置１がバラけることがあった。しかし本発明は分離防止突部５を設けたので、このような問題が起きにくい。
【００２５】
一方、図２に示すように、分離防止突部５の外周面と、第一円筒部２ａの外周面とのなす角度θは鈍角とされている。また、分離防止突部５の外周縁部５ａは、回込部２８の内周縁部２８ａよりもラジアル方向内側に位置している。これらの効果については後述する。
【００２６】
次に図３〜図５を用いて、上述したリング状密封装置１の製造方法について説明する。まず図３に示すように、円筒状の外周面を有する治具１２を用意する。この治具１２は、第一スリンガ２の分離防止突部５と同一か又は大きな半径を有している（図４参照）。この治具１２に対して、第二スリンガ３とシール環体４とが組み立てられた組立体１４を、シール環体４が治具１２の端面１２ａを向くように第一円筒部摺接リップ９ａ，９ｂを弾性的に拡径しつつ、治具１２の外周面１２ｂ上に取り付ける（本発明の第一工程）。本実施例では、複数個の組立体を、上下に積層するように治具１２に取り付けている。
【００２７】
次に図４に示すように、搬送具２７を使って第一スリンガ２を搬送し、組立体１４が取り付けられた治具１２に対して第一スリンガ２を、分離防止突部５が形成された側が端面１２ａを向くように該端面１２ａに対し同心的に位置決めする（本発明の第二工程）。治具１２は、上下に移動可能に構成されている。水平方向の位置合わせは搬送具２７によって行われ、アキシャル方向の位置合わせは治具１２の上下移動によって行われる。
【００２８】
第二工程の後、プッシャー１５を用いて複数個の組立体１４を端面１２ａ側に押し出す。すなわち、第一スリンガ２に接近させる方向に組立体１４を治具１２の外周面１２ｂ上にて摺動させる。その結果、図５に示すように、シール環体４が分離防止突部５を通過しつつ治具１２より離脱する。するとシール環体４が弾性復帰し、第一円筒部２ａの外周面上に縮径保持される（本発明の第三工程）。また、治具１２には、端面１２ａの外周縁部に、第一スリンガ２の分離防止突部５に向かって縮径するテーパ面２６が形成されている。これにより、上記第三工程においてシール環体４が分離防止突部５を乗り越えやすくなる。なお、テーパ面２６の代わりにアール面を形成してもよい。
【００２９】
このように本発明のリング状密封装置１の製造方法では、治具１２を用いることにより、第一スリンガ２と組立体１４を簡単に組付けることができる。すなわち、治具１２に取り付ける前は、第一円筒部摺接リップ９ａ，９ｂの内周面の半径は、分離防止突部５の外周縁部５ａの半径よりも小さくなっているため、一旦拡径し、分離防止突部５を乗越えさせるようにして、第一スリンガ２に組付ける必要がある。本発明の製造方法では、治具１２に組立体１４を取り付けておき、これを押し出すことにより、第一円筒部摺接リップ９ａ，９ｂが分離防止突部５を簡単に通過させ、組立てることができる。また、予め複数個の組立体１４を治具１２に取り付けているため、複数個の第一スリンガ２に対して次々に組付ける工程をオートメーション化することも容易である。そのため、リング状密封装置１の製造効率が上がる。
【００３０】
また、上述したように、分離防止突部５の外周面と、第一円筒部２ａの外周面のなす角度θは鈍角とされている（図２参照）。このようにすると、上記第三工程において、シール環体４が分離防止突部５を通過しやすくなる。仮に角度θが直角または鋭角になっていると、第一円筒部摺接リップ９ａ，９ｂと分離防止突部５とが係合しやすくなるため、リング状密封装置１のバラけ防止効果が向上するものの、製造途中でシール環体４が分離防止突部５を乗り越えにくくなるため、リング状密封装置１の製造をスムーズに進めにくくなる。
【００３１】
さらに本発明では、分離防止突部５の外周縁部５ａが、回込部２８の内周縁部２８ａよりもラジアル方向内側に位置している。そのため、上記第三工程において、分離防止突部５が回込部２８に当接することがなくなる。つまり、第一円筒部摺接リップ９ａ，９ｂは比較的弾性変形しやすい形状をしているものの、回込部２８は弾性変形しにくいため、この回込部２８が分離防止突部５に当接すると、組立体１４が入らず、止まってしまう場合がある。しかし本発明では上述のようにしているため、このような不具合が生じにくい。
【００３２】
次に図６及び図７を用いて、転がり軸受１３に対してリング状密封装置１を組付けるラインの説明をする。図６に示すように、組付けラインは、搬送装置としてのベルトコンベア１７、そのベルトコンベア１７の側方にリング状密封装置１を積層して保持する積層ユニット１０、転がり軸受１３を排出する排出ユニット１８を備える。ベルトコンベア１７は回転ローラ１９を備える。制御ユニット２０からの信号に基づいて、駆動制御部２１からモータ２２へ電力が供給されてモータ２２が回転駆動され、さらにモータ２２に接続された回転ローラ１９が回転されることによって、ベルトコンベア１７が回転し、転がり軸受１３が搬送される。また駆動制御部２１は、回転ローラ１９の回転軸に直結したパルスジェネレータ２３（ロータリエンコーダ）を備え、その出力パルスをフィードバックすることにより、モータ２２への出力信号を制御し、ベルトコンベア１７の移動距離が制御されるように構成されている。
【００３３】
制御ユニット２０は通常のコンピュータとして構成されており、周知のＣＰＵ，ＲＯＭ，ＲＡＭ，Ｉ／Ｏおよびこれらの構成を接続するバスラインが備えられている。ＣＰＵは、ＲＯＭおよびＲＡＭに記憶されたプログラムおよびデータにより搬送ラインの制御を行う。
【００３４】
積層ユニット１０は、ベルトコンベア１７の搬送経路側方に備えられている。図７に示するように、複数個のリング状密封装置１が、分離防止突部５が下側となるように上下に積層され、積層ユニット１０内に保持されている。積層ユニット１０の下端部には排出部１５が設けられ、プッシャー１６によって個々のリング状密封装置１が排出される。
【００３５】
排出されたリング状密封装置１は、転がり軸受１３の上にまで移動される。その後、プッシャー１１が下降することにより、リング状密封装置１が押され、内輪部材６と外輪部材７の間にリング状密封装置１が嵌入される。
【００３６】
このように、リング状密封装置１は予め複数個、積層して用意され、転がり軸受１３が所定位置に運ばれたときに、順次排出されて取り付けられる。製造工程においては、リング状密封装置１がバラけないように注意する必要があり、万一バラけが発生すると、後続のワークへの影響も大きく、組付けラインのストップが必要となる場合もある。しかし本発明では、分離防止突部５があるためバラけにくく、組付け工程をスムーズに行うことが可能である。
【００３７】
一方、上述の実施例では、第一スリンガ２の分離防止突部５は第二フランジ部３ｂのアキシャル方向第二主表面よりもアキシャル方向外側に突出していた。しかし図８に示す構造にすることもできる。この実施例では、第二フランジ部３ｂのアキシャル方向第二主表面Ｐ１と、分離防止突部５の端面Ｐ２が面一とされている。また、図９に示すように、分離防止突部５の端面Ｐ２が第二フランジ部３ｂのアキシャル方向第二主表面Ｐ１よりもアキシャル方向内側に位置するようにしてもよい。分離防止突部５が突出していると転動体８（図１参照）に接触する場合があり、また、リング状密封装置１の幅方向の規格値が厳しい場合は、分離防止突部５が突出している分だけ規格外れ品が発生しやすくなる。しかし上述の構成にすれば、このような問題が生じにくい。
【図面の簡単な説明】
【００３８】
【図１】転がり軸受の断面図。
【図２】リング状密封装置の拡大断面図。
【図３】第一工程を説明する図。
【図４】第二工程および第三工程を説明する図。
【図５】第三工程を説明する図。
【図６】転がり軸受の組立てライン。
【図７】組立てラインの一部を拡大した図。
【図８】本発明の別の実施例。
【図９】本発明の別の実施例。
【符号の説明】
【００３９】
１  リング状密封装置
２  第一スリンガ
２ａ  第一円筒部
２ｂ  第一フランジ部
３  第二スリンガ
３ａ  第二円筒部
３ｂ  第二フランジ部
４  シール環体
５  分離防止突部
５ａ  分離防止突部５の外周縁部
６  内輪
７  外輪
８  転動体
９ａ，９ｂ  第一円筒部摺接リップ
１２  治具
１２ａ  治具の端面
１２ｂ  治具の外周面
２８  回込部
２８ａ  回込部の内周面
Ｓ  転動体配置空間
【図１】
2007298076.tif 000003
【図２】
2007298076.tif 000004
【図３】
2007298076.tif 000005
【図４】
2007298076.tif 000006
【図５】
2007298076.tif 000007
【図６】
2007298076.tif 000008
【図７】
2007298076.tif 000009
【図８】
2007298076.tif 000010
【図９】
2007298076.tif 000011